(57)【要約】【課題】  容量性負荷に接続された場合であっても省電力効果を損なうことなく、さらにスリープモードに対応可能することができる出力回路を提供すること。【解決手段】  入力信号をバッファーして負荷回路へ出力するドライバ部と、このドライバ部の出力に接続された可変電流源とを備えた出力回路において、前記ドライバ部でドライブされる電流を検出する電流検出部と、前記電流検出部による検出結果に応じたバイアスを前記可変電流源に供給することにより前記可変電流源の電流値を可変とするバイアス回路と、前記電流検出部と前記バイアス回路との間に接続されるコンデンサと、を備え、前記バイアス回路は、前記ドライバ部でドライブされる電流が増加すると前記可変電流源の電流値を減少させ、前記ドライバ部でドライブされる電流が減少すると前記可変電流源の電流値を増加させる。【選択図】  図１
2007043604.tif 000002
【特許請求の範囲】
【請求項１】
入力信号をバッファーして負荷回路へ出力するドライバ部と、このドライバ部の出力に接続された可変電流源とを備えた出力回路であって、
前記ドライバ部でドライブされる電流を検出する電流検出部と、
前記電流検出部による検出結果に応じたバイアスを前記可変電流源に供給することにより前記可変電流源の電流値を可変するバイアス回路と、
前記電流検出部と前記バイアス回路との間に接続されるコンデンサと、を備え、  
前記バイアス回路は、前記ドライバ部でドライブされる電流が増加すると前記可変電流源の電流値を減少させ、前記ドライバ部でドライブされる電流が減少すると前記可変電流源の電流値を増加させる出力回路。
【請求項２】
前記バイアス回路は少なくとも電圧源を有し、この電圧源をＯＮ／ＯＦＦ可能な構成とした請求項１に記載の出力回路。
【請求項３】
前記電流検出部の出力をバッファーして前記コンデンサへ出力するエミッタフォロア回路を設けた請求項１又は請求項２に記載の出力回路。
【請求項４】
前記ドライバ部は、エミッタフォロア回路を構成するトランジスタを有し、
前記電流検出部は前記トランジスタのコレクタに接続される抵抗からなり、この抵抗に並列に接続されるコンデンサを設けた請求項３に記載の出力回路。
【請求項５】
前記バイアス回路は、前記電圧源と直列に接続される抵抗を有する請求項２〜４のいずれかに記載の出力回路。
【請求項６】
一対の入力信号をバッファーして出力する出力トランジスタ対と、この出力トランジスタ対と直列に接続される電流源トランジスタ対とを有する差動出力回路であって、
前記出力トランジスタ対に流れる電流を検出する電流検出部と、
前記電流検出部による検出結果に応じたバイアスを電流源トランジスタ対に供給することにより前記電流源トランジスタ対の電流値を可変するバイアス回路と、を備え、
前記電流源トランジスタ対のエミッタ間に抵抗を設けた差動出力回路。
【請求項７】
前記電流源トランジスタ対のエミッタにそれぞれ抵抗を接続した請求項６に記載の差動出力回路。
【請求項８】
入力信号をバッファーして出力する出力トランジスタ対と、この出力トランジスタ対と直列に接続される電流源トランジスタ対とを有するＩＦ信号用出力回路を設けたテレビ放送受信装置であって、
前記ＩＦ信号用出力回路は、
前記出力トランジスタ対に流れる電流を検出する電流検出部と、
前記電流検出部による検出結果に応じたバイアスを電流源トランジスタ対に供給することにより前記電流源トランジスタ対の電流値を可変するバイアス回路と、を備え、
前記電流源トランジスタ対のエミッタ間に抵抗を設けたテレビ放送受信装置。
【発明の詳細な説明】
【技術分野】
【０００１】
本発明は、負荷電流駆動型の出力回路、差動出力回路及びそれを有するテレビ放送受信装置に関する。
【背景技術】
【０００２】
従来より、テレビ放送受信装置においては、アンテナから受信した放送波信号から所望の受信放送波信号を選択するチューナがあり、このチューナから中間周波数信号（ＩＦ信号）を出力するためのＩＦ信号出力回路として、電圧駆動型の出力回路が用いられていた。
【０００３】
電圧駆動型の出力回路の例としては、図７に示すように、出力信号の逆相電圧を使ったプッシュプル型の出力回路100がある。
【０００４】
この出力回路100は、入力信号である中間周波数信号をトランジスタＱ102のベースに入力することにより、入力信号のバッファーが行なわれる。
【０００５】
ところで、近年のテレビ放送技術の発達に伴い、アナログテレビ放送からデジタルテレビ放送に移行する時期が到来しており、デジタルテレビ放送に対応したテレビ放送受信装置の開発が盛んに行なわれるようになってきている。
【０００６】
ところが、アナログテレビ放送からデジタルテレビ放送へ完全に移行するまでには５〜１０年程度かかると予測される。
【０００７】
このような移行時期においては、アナログテレビ放送だけでしか視聴できない番組やデジタルテレビ放送だけでしか視聴できない番組などが混在する。そのため、アナログテレビ放送とデジタルテレビ放送とをどちらも受信可能なテレビ放送受信装置が提供されている。
【０００８】
また、アナログテレビ放送を行なう地域とデジタルテレビ放送を行なう地域が混在していることから、車載用テレビ放送受信装置においてもこれらの放送とをどちらも受信可能なものが提供されてきている（例えば、特許文献１参照）。
【０００９】
【特許文献１】特開２００４−２３５８６６号公報
【発明の開示】
【発明が解決しようとする課題】
【００１０】
しかしながら、ＩＦ信号をバッファーするための出力回路として上述のような電圧駆動型を用いた場合、その負荷回路Ｚが容量性負荷であると、出力電圧Ｖoutに対して位相が90度進んだ電流が流れてしまう。そのため、図８に示すように、出力段のトランジスタＱ101に流れる電流I102の変化と負荷に流れる電流（以下、「負荷電流」とよぶ。）I101の変化との位相が合わず、抵抗負荷の場合と比べ歪が悪化する。そのため、バイアス電流を大きくする必要があった。また、トランジスタＱ101に流れるバイアス電流が負荷電流I101と同等以上になってしまい、 プッシュプル動作による省電力効果を十分に得ることができなかった。
【００１１】
また、上述のようにどちらの放送にも対応可能なテレビ放送受信装置においては、アナログテレビ放送受信回路と、デジタルテレビ放送受信回路とのどちらも有しているが、一方の放送を受信中に他方の放送受信回路を待機状態にしたままでは無駄な電力を消費してしまうことになり効率が悪い。
【００１２】
そこで、本発明は、容量性負荷に接続された場合であっても省電力効果を損なうことなく、さらにスリープモードに対応可能とすることもできる出力回路を提供することを目的とする。
【課題を解決するための手段】
【００１３】
そこで、請求項１に記載の発明は、入力信号をバッファーして負荷回路へ出力するドライバ部と、このドライバ部の出力に接続された可変電流源とを備えた出力回路において、前記ドライバ部でドライブされる電流を検出する電流検出部と、前記電流検出部による検出結果に応じたバイアスを前記可変電流源に供給することにより前記可変電流源の電流値を可変とするバイアス回路と、前記電流検出部と前記バイアス回路との間に接続されるコンデンサと、を備え、前記バイアス回路は、前記ドライバ部でドライブされる電流が増加すると前記可変電流源の電流値を減少させ、前記ドライバ部でドライブされる電流が減少すると前記可変電流源の電流値を増加させることを特徴とする。
【００１４】
また、請求項２に記載の発明は、請求項１に記載の発明であって、前記バイアス回路は少なくとも電圧源を有し、この電圧源をＯＮ／ＯＦＦ可能な構成としたことを特徴とする。
【００１５】
また、請求項３に記載の発明は、請求項１又は請求項２に記載の発明であって、前記電流検出部の出力をバッファーして前記コンデンサへ出力するエミッタフォロア回路を設けたことを特徴とする。
【００１６】
また、請求項４に記載の発明は、請求項３に記載の発明であって、前記ドライバ部は、エミッタフォロア回路を構成するトランジスタを有し、前記電流検出部は前記トランジスタのコレクタに接続される抵抗からなり、この抵抗に並列に接続されるコンデンサを設けたことを特徴とする。
【００１７】
また、請求項５に記載の発明は、請求項２〜４のいずれか一項に記載の発明であって、前記バイアス回路は、前記電圧源と直列に接続される抵抗を有することを特徴とする。
【００１８】
また、請求項６に記載の発明は、一対の入力信号をバッファーして出力する出力トランジスタ対と、この出力トランジスタ対と直列に接続される電流源トランジスタ対とを有する差動回路において、前記出力トランジスタ対に流れる電流を検出する電流検出部と、前記電流検出部による検出結果に応じたバイアスを電流源トランジスタ対に供給することにより前記電流源トランジスタ対の電流値を可変とするバイアス回路と、を備え、前記電流源トランジスタ対のエミッタ間に抵抗を設けたことを特徴とする。
【００１９】
また、請求項７に記載の発明は、請求項６に記載の発明であって、前記電流源トランジスタ対のエミッタにそれぞれ抵抗を接続したことを特徴とする。
【００２０】
また、請求項８に記載の発明は、入力信号をバッファーして出力する出力トランジスタ対と、この出力トランジスタ対と直列に接続される電流源トランジスタ対とを有するＩＦ信号用出力回路を設けたテレビ放送受信装置において、前記ＩＦ信号用出力回路は、前記出力トランジスタ対に流れる電流を検出する電流検出部と、前記電流検出部による検出結果に応じたバイアスを電流源トランジスタ対に供給することにより前記電流源トランジスタ対の電流値を可変とするバイアス回路と、を備え、前記電流源トランジスタ対のエミッタ間に抵抗を設けたことを特徴とする。
【発明の効果】
【００２１】
請求項１に記載の発明によれば、入力信号をバッファーして負荷回路へ出力するドライバ部と、このドライバ部の出力に接続された可変電流源とを備えた出力回路において、前記ドライバ部でドライブされる電流を検出する電流検出部と、前記電流検出部による検出結果に応じたバイアスを前記可変電流源に供給することにより前記可変電流源の電流値を可変とするバイアス回路と、を備え、前記バイアス回路は、前記ドライバ部でドライブされる電流が増加すると前記可変電流源の電流値を減少させ、前記ドライバ部でドライブされる電流が減少すると前記可変電流源の電流値を増加させるので、容量性負荷に接続された場合であっても省電力効果を損なうことなく、さらにスリープモードに対応可能することができる。しかも、前記電流検出部と前記バイアス回路とがコンデンサを介して接続されるので、スリープモードへの対応が容易となる。
【００２２】
また、請求項２に記載の発明によれば、前記バイアス回路は少なくとも電圧源を有し、この電圧源をＯＮ／ＯＦＦ可能な構成としたので、電圧源をＯＮ／ＯＦＦすることによりにスリープモードに対応することができる。
【００２３】
また、請求項３に記載の発明によれば、前記電流検出部の出力をバッファーして前記コンデンサへ出力するエミッタフォロア回路を設けたので、ＤＣカットに用いられるコンデンサから電流検出回路の周波数特性が影響を受けることがない。しかも、電流検出回路を抵抗とし、この抵抗にコンデンサを並列に接続することにより高域特性調整が可能となる。
【００２４】
また、請求項４に記載の発明によれば、前記ドライバ部は、エミッタフォロア回路を構成するトランジスタを有し、前記電流検出部は前記トランジスタのコレクタに接続される抵抗からなり、この抵抗に並列に接続されるコンデンサを設けたので、高域特性調整が可能となる。
【００２５】
また、請求項５に記載の発明によれば、前記バイアス回路は、前記電圧源と直列に接続される抵抗を有するので、コンデンサとこの抵抗とにより帰還ループ特性の低域部分を低減させることができる。
【００２６】
また、請求項６に記載の発明によれば、一対の入力信号をバッファーして出力する出力トランジスタ対と、この出力トランジスタ対と直列に接続される電流源トランジスタ対とを有す差動出力回路において、前記出力トランジスタ対に流れる電流を検出する電流検出部と、前記電流検出部による検出結果に応じたバイアスを電流源トランジスタ対に供給することにより前記電流源トランジスタ対の電流値を可変とするバイアス回路と、を備え、前記電流源トランジスタ対のエミッタ間に抵抗を設けたので、容量性負荷に接続された場合であっても省電力効果を損なうことなく、さらにスリープモードに対応可能とすることができる。しかも、差動出力回路における低歪動作のために必要な帰還ループゲインの調整を電流源トランジスタ対の出力間に設けた抵抗によって行なうことができる。また、前記電流検出部と前記バイアス回路とをコンデンサを介して接続することにより、スリープモードへの対応が容易となる。
【００２７】
また、請求項７に記載の発明によれば、前記電流源トランジスタ対のエミッタにそれぞれ抵抗を接続したので、この抵抗とグランド間とのインピーダンスを高くすることができ、静電強度を向上させることができる。しかも、この抵抗を高くすることにより、コモンモードの入力信号を十分に低減させることができ、安定した回路動作を得ることが可能となる。
【００２８】
また、請求項８に記載の発明によれば、入力信号をバッファーして出力する出力トランジスタ対と、この出力トランジスタ対と直列に接続される電流源トランジスタ対とを有するＩＦ信号用出力回路を設けたテレビ放送受信装置において、前記ＩＦ信号用出力回路は、前記出力トランジスタ対に流れる電流を検出する電流検出部と、前記電流検出部による検出結果に応じたバイアスを電流源トランジスタ対に供給することにより前記電流源トランジスタ対の電流値を可変とするバイアス回路と、を備え、前記電流源トランジスタ対のエミッタ間に抵抗を設けたので、容量性負荷に接続された場合であっても省電力効果を損なうことなく、さらにスリープモードに対応可能することができる。しかも、差動出力回路における低歪動作のために必要な帰還ループゲインの調整を電流源トランジスタ対の出力間に設けた抵抗によって行なうことができる。また、前記電流検出部と前記バイアス回路とをコンデンサを介して接続することにより、スリープモードへの対応が容易となる。
【発明を実施するための最良の形態】
【００２９】
本発明の実施形態におけるテレビ放送受信機に用いられる出力回路は、入力信号をバッファして負荷回路へ出力するドライバ部と、このドライバ部の出力に接続された可変電流源とを備え、ドライバ部でドライブされる電流を検出する電流検出部と、電流検出部による検出結果に応じたバイアスを可変電流源に供給することにより可変電流源の電流値を可変とするバイアス回路と、を備えている。
【００３０】
しかも、バイアス回路は、ドライバ部でドライブされる電流が増加すると可変電流源の電流値を減少させ、ドライバ部でドライブされる電流が減少すると可変電流源の電流値を増加させるように構成されている。
【００３１】
したがって、容量性負荷に接続された場合であっても省電力効果或いは低歪化を実現することができる。しかも、電流検出部とバイアス回路とをコンデンサを介して接続することによりスリープモードへの容易に対応することができる。
【００３２】
また、バイアス回路は少なくとも電圧源を有し、この電圧源をＯＮ／ＯＦＦ可能な構成としている。そのため、電圧源をＯＮ／ＯＦＦすることによってスリープモードに対応することができる。
【００３３】
また、電流検出部の出力をバッファーしてコンデンサへ出力するエミッタフォロア回路を設けている。そのため、ＤＣカットに用いられるコンデンサから電流検出回路が影響を受けることがない。しかも、電流検出回路を抵抗とし、この抵抗にコンデンサを並列に接続することにより高域特性調整が可能となる。
【００３４】
さらに、ドライバ部は、エミッタフォロア回路を構成するトランジスタを有し、電流検出部はトランジスタのコレクタに接続される抵抗からなり、この抵抗に並列に接続されるコンデンサを設けている。そのため、帰還ループの高域特性調整が可能となる。
【００３５】
また、バイアス回路は、電圧源と直列に接続される抵抗を有するため、帰還ループ特性の低域部分を低減させることができる。
【００３６】
本発明の実施形態における差動出力回路は、一対の入力信号をバッファーして出力する出力トランジスタ対と、この出力トランジスタ対と直列に接続される電流源トランジスタ対と、さらに出力トランジスタ対に流れる電流を検出する電流検出部と、電流検出部による検出結果に応じたバイアスを電流源トランジスタ対に供給することにより電流源トランジスタ対の電流値を可変とするバイアス回路とを備え、さらに電流源トランジスタ対のエミッタ間に抵抗を設けている。
【００３７】
したがって、容量性負荷に接続された場合であっても省電力効果或いは低歪化を実現することができる。さらにスリープモードに対応可能とすることができる。さらに、電流源トランジスタ対のエミッタ間の抵抗を調整することにより、差動出力回路における低歪動作のために必要な帰還ループゲインの調整を行なうことができる。電流検出部とバイアス回路とをコンデンサを介して接続することによりスリープモードへの容易に対応することができる。
【００３８】
しかも、電流源トランジスタ対のエミッタにそれぞれ抵抗を接続しているため、静電強度を向上させることができ、しかも安定した回路動作を得ることが可能となる。
【００３９】
次に、発明の実施の形態のテレビ放送受信機について、図面を参照してさらに具体的に説明する。図１は本実施の形態におけるテレビ放送受信機の構成を示す図である。
【００４０】
図１に示すようにテレビ放送受信機１は、テレビ放送信号を受信するアンテナ１０と、このアンテナ１０で受信したテレビ放送信号を入力するアンテナ入力回路１１と、このように入力したテレビ放送信号から所望のテレビ放送信号を選択して増幅した後、中間周波数信号（IF信号）に変換するチューナ１２と、このチューナ１２での選択動作を行うための選局手段１３と、チューナ１２から出力される中間周波数（ＩＦ）信号を増幅するためのＩＦ増幅回路１４と、このＩＦ増幅回路１４で増幅されたＩＦ信号からコンポジット信号を取り出す映像検波部１５と、コンポジット信号から色成分を取り除いて映像信号にした後、所定の処理を施す画像処理部１６と、コンポジット信号から搬送色信号を抽出し、増幅、復調等することによりＲＧＢ信号を生成する色再生回路１７と、コンポジット信号から同期信号を抽出し、電子ビームを走査するための高電圧を生成する偏向制御回路１８と、中間周波数信号から音声中間周波数信号を生成し、増幅等により音声信号として出力する音声処理回路１９と、映像信号を表示するモニタ２０とを有している。
【００４１】
ここで、テレビ放送受信機１は、アナログテレビ放送信号とデジタルテレビ放送信号とを受信することができ、選局手段１３によってアナログテレビ放送信号及びデジタルテレビ放送信号のうちいずれかのチャンネルを選局することができる。
【００４２】
そして、チューナ１２は、アナログテレビ放送信号を入力してアナログ放送ＩＦ信号を出力する出力回路と共に、デジタルテレビ放送信号を入力してデジタル放送ＩＦ信号を出力する増幅器用出力回路とを有している。
【００４３】
（出力回路Ａの説明）
本実施の形態においては、この出力回路として図２の出力回路Ａが用いられる。なお、出力回路Ａはアナログ放送ＩＦ信号用及びデジタル放送ＩＦ信号用に各々設けられるものであり、以下その構成及び動作を具体的に説明する。また、出力回路ＡがＩＦ信号用増幅器の出力回路に対応する。
【００４４】
出力回路Ａは、図２に示すように、入力信号をバッファーして容量性の負荷回路Ｚ（図示せず）へ出力するドライバ部２と、このドライバ部２の出力に接続された可変電流源３と、ドライバ部２でドライブされる電流Ｉ１を検出する電流検出部４と、バイアスを可変電流源３に供給するバイアス回路５と、電流検出部４とバイアス回路５との間に接続されるコンデンサＣ１とから構成される。コンデンサＣ１は電源Ｖｃｃとバイアス回路５との直流（ＤＣ）成分遮断のために設けられたものであり、このコンデンサＣ１によって、電源Ｖｃｃとバイアス回路５とがＤＣ的に遮断されていることから、後述のようにバイアス回路５のバイアスを制御してスリープモードに対応することができる。
【００４５】
そして、電流検出部４による検出結果（ドライバ部２のドライブ電流量）は、コンデンサＣ１を介して、バイアス回路５に供給され、これにより可変電流源３の電流値が変化する。すなわち、ドライバ部２でドライブされる電流が増加すると可変電流源３の電流値を減少させ、ドライバ部２でドライブされる電流が減少すると可変電流源３の電流値を増加させるように動作する。
【００４６】
本実施形態における出力回路Ａについて、図２を参照して更に具体的に説明する。
【００４７】
ドライバ部２は、エミッタフォロア回路を構成するＮＰＮ型トランジスタＱ１から構成され、ＮＰＮ型トランジスタＱ１のベースに入力信号Ｖｉｎが入力され、そのコレクタは電流検出部４及びコンデンサＣ１の一端に接続されると共にそのエミッタは出力Ｖoutに接続されている。なお、Ｖoutは負荷回路Ｚに接続される。
【００４８】
可変電流源３は、エミッタ接地のＮＰＮ型トランジスタＱ２から構成され、そのベースはバイアス回路５に接続され、そのコレクタは出力Ｖoutに接続されると共にそのエミッタはグランドに接地される。
【００４９】
電流検出部４は、抵抗Ｒ１から構成され、その一端が電源端子Ｖｃｃに接続され、その他端がＮＰＮ型トランジスタＱ１のコレクタ及びコンデンサＣ１の一端に接続される。
【００５０】
また、バイアス回路５は、抵抗Ｒ２と電圧源ＢＡＴとが直列に接続された回路から構成され、この電圧源ＢＡＴは外部からの信号入力によりＯＮ／ＯＦＦ可能に構成されている。すなわち、電圧源ＢＡＴが外部からの信号によりＯＮにされると電圧源ＢＡＴの両端に所定電圧を発生させて可変電流源３であるＮＰＮ型トランジスタＱ２をバイアスにすることにより出力回路Ａを動作状態とすることができる。また、電圧源ＢＡＴが外部からの信号によりＯＦＦにされると電圧源ＢＡＴの両端の電圧を０ＶにしてＮＰＮ型トランジスタＱ２をオフにすることにより出力回路Ａをスリープ状態とすることができる。
【００５１】
なお、バイアス回路５の一端はグランドに接続され、他端は、ＮＰＮ型トランジスタＱ２のベース及びコンデンサＣ１の他端に接続される。
【００５２】
以上のように構成された出力回路Ａについてその動作を具体的に説明する。
【００５３】
出力回路Ａが動作状態にあり、かつバイアス回路５の帰還ループゲイン（以下、単に「ループゲイン」とよぶこともある。）が低いとき、ＮＰＮ型トランジスタＱ１のゲートに所定レベルの正弦波の入力信号Ｖinが入力されたとすると、ＮＰＮ型トランジスタＱ１に流れる電流Ｉ１と、負荷回路Ｚに流れる電流Ｉ２は、図３に示すようになる。
【００５４】
このような特性になるのは、ＮＰＮ型トランジスタＱ１に流れる電流Ｉ１に応じて抵抗Ｒ１の両端電圧が変化し、その電圧変化に応じてＮＰＮ型トランジスタＱ２に供給されるバイアス電圧が変化するからである。
【００５５】
すなわち、ＮＰＮ型トランジスタＱ１に流れる電流Ｉ１が大きいときには、抵抗Ｒ１の両端の電圧が大きくなり、そのためａ点の電位が下がる。そして、ａ点の電位が下がることによって、コンデンサＣ１を介してＮＰＮ型トランジスタＱ２のベース電圧が低くなる。したがって、ＮＰＮ型トランジスタＱ２に流れる電流Ｉ３が小さくなる。すなわち、負荷電流Ｉ２が大きくなると、ＮＰＮ型トランジスタＱ２に流れる電流Ｉ３が小さくなる。
【００５６】
一方、ＮＰＮ型トランジスタＱ１に流れる電流Ｉ１が小さいときには、抵抗Ｒ１の両端の電圧が小さくなり、そのためａ点の電位が上がる。そして、ａ点の電位が上がることによって、コンデンサＣ１を介してＮＰＮ型トランジスタＱ２のベース電圧が高くなる。したがって、ＮＰＮ型トランジスタＱ２に流れる電流Ｉ３が大きくなる。すなわち、負荷電流Ｉ２が小さくなると、ＮＰＮ型トランジスタＱ２に流れる電流Ｉ３が大きくなる。
【００５７】
このように出力回路Ａが動作するため、容量性の負荷回路Ｚに対して省電力効果（バイアス電流Ｉ３＝負荷電流最大値Ｉ１max／２）が向上し、さらにスリープモードに対応可能となる。また、コンデンサＣ１と抵抗Ｒ１とにより帰還ループ特性の高域部分を低減させることができる。
【００５８】
また、抵抗Ｒ１の抵抗値を大きくすることにより、バイアス回路５のループゲインが高くなる。バイアス回路５のループゲインが高いと、図３における電流Ｉ１´の特性を示すようになり、省電力効果は抑制される（バイアス電流Ｉ３＝負荷電流最大値Ｉ１max）。しかし、ドライバ部２の電流変化を抑制することができ、電流変化による歪を低減することが可能となる。
【００５９】
このように、抵抗Ｒ１を調整することにより歪の低減や消費電力の低減が可能となり、歪の低減と消費電力の低減とのバランスを取りながら調整することもできる。
【００６０】
（差動出力回路Ｂの説明）
次に、本発明を差動出力回路に適用した場合の構成及び動作について説明する。図４は本発明の実施形態における差動出力回路Ｂの具体的構成を示す図である。なお、本差動出力回路Ｂもテレビ放送受信機１に適用されるものである。
【００６１】
本実施形態における差動出力回路Ｂは、上述の出力回路Ａを２つ対とすると共に、可変電流源３に一部変更を加えたものである。
【００６２】
すなわち、ドライバ部２´、電流検出部４´、バイアス回路５´、コンデンサＣ１ａ，Ｃ１ｂは、それぞれドライバ部２、電流検出部４、バイアス回路５、コンデンサＣ１を対にしたものである。
【００６３】
また、可変電流源３´は、ＮＰＮ型トランジスタＱ２ａ，Ｑ２ｂのエミッタ間に抵抗Ｒ４を接続すると共に、ＮＰＮ型トランジスタＱ２ａ，Ｑ２ｂのエミッタとグランド間にそれぞれ抵抗Ｒ３ａ，Ｒ３ｂを接続したものである。
【００６４】
この抵抗Ｒ４は、バイアス回路５´のループゲインを調整することができるように設けられており、この抵抗Ｒ４の値を小さくすることでループゲインを十分に大きくすることができる。
【００６５】
また、抵抗Ｒ３ａ，Ｒ３ｂは、出力端子Ｖoutａ，Ｖoutｂとグランド間とのインピーダンスを高くするために設けられているものであり、このインピーダンスを高くすることにより、静電強度を向上させることができる。しかも、抵抗Ｒ３ａ，Ｒ３ｂを高くすることにより、コモンモードの入力信号を十分に低減させることができ、安定した回路動作を得ることが可能となる。すなわち、抵抗Ｒ３ａ，Ｒ３ｂによりコモンゲインを設定できる。
【００６６】
以上のように、差動出力回路Ｂは、一対の入力信号（Ｖinａ、Ｖinｂ）をバッファーして出力する出力トランジスタ対（Ｑ１ａ，Ｑ１ｂ）と、この出力トランジスタ対と直列に接続される電流源トランジスタ対（Ｑ２ａ，Ｑ２ｂ）と、出力トランジスタ対に流れる電流を検出する電流検出部４´と、電流検出部４´による検出結果に応じたバイアスを電流源トランジスタ対（Ｑ２ａ，Ｑ２ｂ）に供給することにより電流源トランジスタ対（Ｑ２ａ，Ｑ２ｂ）の電流値を可変とするバイアス回路５´と、電流源トランジスタ対の出力間に抵抗（Ｒ４）を設けている。そして、電流源トランジスタ対（Ｑ２ａ，Ｑ２ｂ）のエミッタにそれぞれ抵抗（Ｒ３ａ，Ｒ３ｂ）を接続している。
【００６７】
したがって、抵抗Ｒ３ａ，Ｒ３ｂ及び抵抗Ｒ４により、差動出力回路Ｂにおけて、低歪動作のために必要な差動ゲインの調整及び安定動作に必要なコモンゲインの調整を個別に行なうことが可能となる。
【００６８】
次に、差動出力回路Ｂに対して帰還ループゲインの高域周波数特性調整を可能とした差動出力回路Ｃについて図５を参照して具体的に説明する。
【００６９】
図５に示すように、差動出力回路Ｃは、上述の差動出力回路Ｂに加え、ＮＰＮトランジスタＱ１ａ，Ｑ１ｂのコレクタとコンデンサＣ１ａ，Ｃ１ｂとの間に、コンデンサＣ２ａ，Ｃ２ｂ、ＮＰＮ型トランジスタＱ３ａ，Ｑ３ｂ、定電流源Ｉ４ａ，Ｉ４ｂを設けたものである。
【００７０】
コンデンサＣ２ａ，Ｃ２ｂは、抵抗Ｒ１ａ，Ｒ１ｂに並列に接続されており、このコンデンサＣ２ａ，Ｃ２ｂと抵抗Ｒ１ａ，Ｒ１ｂとでローパスフィルタ回路を構成する。このローパスフィルタ回路によりループゲインの高域特性を調整することができる。すなわち、帰還ループゲイン特性のうち高域部分を低減させることができる。
【００７１】
また、ＮＰＮ型トランジスタＱ３ａ，Ｑ３ｂは、そのベースがＮＰＮ型トランジスタＱ１ａ，Ｑ１ｂのコレクタに接続され、そのトランジスタＱ３ａ，Ｑ３ｂのコレクタは電源Ｖｃｃへ、エミッタはコンデンサＣ１ａ，Ｃ１ｂに接続されている。このＮＰＮ型トランジスタＱ３ａ，Ｑ３ｂにより、抵抗Ｒ１ａ，Ｒ１ｂ検出された負荷電流量をエミッタフォロア取出しすることができることから、ＤＣカットに用いられるコンデンサＣ１ａ，Ｃ１ｂからの影響を受けることなく、上述のコンデンサＣ２ａ，Ｃ２ｂと抵抗Ｒ１ａ，Ｒ１ｂとによる上記高域特性調整が可能となる。
【００７２】
また、上述したように、コンデンサＣ１ａ，Ｃ１ｂと抵抗Ｒ２ａ，Ｒ２ｂとにより帰還ループ特性の低域部分を低減させることができる。
【００７３】
ここで、従来の出力回路100の3次相互変調(IM3)出力特性と、本実施形態におけるしゅつりょく回路のIM3出力特性とを図６に示す。この図６に示されるように、本実施形態における出力回路は従来に比べIM3出力特性が格段に向上していることわかる。
【００７４】
以上のように、本発明の実施形態における出力回路、差動出力回路及びこれらを備えたテレビ放送受信装置によれば、容量性負荷に接続された場合であっても省電力効果を損なうことなく、さらにスリープモードに対応可能することができる。
【図面の簡単な説明】
【００７５】
【図１】本実施の形態におけるテレビ放送受信機の構成を示す図である。
【図２】本実施の形態における出力回路の構成を示す図である。
【図３】本実施の形態における出力回路の電流特性を示す図である。
【図４】本実施の形態における差動出力回路の具体的構成を示す図である。
【図５】本実施の形態における別の差動出力回路の具体的構成を示す図である。
【図６】本実施の形態における差動出力回路のＩＰ３特性を示す図である。
【図７】従来の電圧駆動型の出力回路の構成を示す図である。
【図８】図７の出力回路の電流特性を示す図である。
【符号の説明】
【００７６】
Ａ  出力回路
Ｂ，Ｃ  差動出力回路
１  テレビ放送受信機
２，２´  ドライバ部
３，３´  可変電流源
４，４´  電流検出部
５，５´  バイアス回路
Ｃ１，Ｃ１ａ、Ｃ１ｂ  コンデンサ
ＢＡＴ，ＢＡＴａ，ＢＡＴｂ  電圧源
【図１】
2007043604.tif 000003
【図２】
2007043604.tif 000004
【図３】
2007043604.tif 000005
【図４】
2007043604.tif 000006
【図５】
2007043604.tif 000007
【図６】
2007043604.tif 000008
【図７】
2007043604.tif 000009
【図８】
2007043604.tif 000010